(57)【要約】【課題】吐出手段を備えた容器体２に装着して使用し、上端部に複数の櫛歯６を直列に起立並設させ、容器体２内の液を櫛歯６内部に縦設した吐出路７を介して吐出路先端の吐出口８より吐出する如く構成した櫛型の吐出具であって、無理のない傾斜状態で容器体を把持しつつ液の塗布及び引き延ばし及び櫛ときが行え、また、各櫛歯に設けた吐出口からのより均一な吐出量を考慮した櫛型吐出具を提案する。【解決手段】各櫛歯６…を、一端部よりその先端が順次傾斜下降する如く配列させた。また、各吐出口８の吐出量が平均化する如く、最下部の吐出口８ａより各吐出口の大きさを順次大きく調節形成した。【選択図】図３
2004290475.tif 000002
【特許請求の範囲】
【請求項１】
吐出手段を備えた容器体２に装着するとともに、上端部に複数の櫛歯６を直列に起立並設させ、且つ、容器体２内の液を櫛歯６内部に縦設した吐出路７を介して吐出路７先端の吐出口８より吐出する如く構成した櫛型の吐出具であって、上記各櫛歯６…を、一端部よりその先端が順次傾斜下降する如く配列させたことを特徴とする櫛型吐出具。
【請求項２】
上記各吐出口８…を各櫛歯６…の先端部と同様に傾斜下降して配列させるとともに、それぞれ櫛歯を貫通して設け、且つ、各吐出口８の吐出量が平均化する如く最下部の吐出口８ａより各吐出口８…の大きさを順次大きく調節形成してなる請求項１記載の櫛型吐出具。
【請求項３】
上記各吐出口８…を水平に配列して上記各吐出路７…の長さを同じにしてなる請求項１記載の櫛型吐出具。
【請求項４】
上記各吐出路７…の下端がそれぞれ開口する開口面ｆ…を上記各櫛歯６…の先端部と同様に傾斜下降させて上記各吐出路７…の長さを同じにしてなる請求項１記載の櫛型吐出具。
【請求項５】
上記各櫛歯６…が左右方向に直列に起立並設させた各櫛歯であり、上記各吐出口８が左右方向に貫通した各吐出口であり、各吐出口８から上端にかけての左右部分に少なくとも吐出口の開口横幅と等しい横幅を有する型抜き縦溝１４を設けてなる請求項１乃至請求項４のいずれかに記載の櫛型吐出具。
【請求項６】
上記各櫛歯６…が左右方向に直列に起立並設させた各櫛歯であり、上記各櫛歯６…のうち中央部の複数の櫛歯６…を、上記吐出路７及び左右方向に貫通する上記吐出口８を備えた吐出櫛歯６ａとするとともに、その両側の櫛歯６を非吐出櫛歯６ｂ…として構成し、且つ、少なくとも片側の非吐出櫛歯の吐出口対応位置に、左右方向に開口するピン孔１５を貫設してなる請求項１乃至請求項４のいずれかに記載の櫛型吐出具。
【発明の詳細な説明】
【０００１】
【発明の属する技術分野】
本発明は櫛型吐出具に関し、詳しくは、胴部を圧搾して収納液を吐出する如き吐出手段を備えた容器体に装着し、櫛歯を使用しながらの収納液の吐出を行える櫛型吐出具に関する。
【０００２】
【従来の技術】
櫛型の吐出具として、例えばヘヤカラー等の容器体内の収納液を櫛歯に穿設した吐出路を介して櫛歯上端部の注出孔より注出する如く構成し、直接頭髪に塗布しながら櫛歯により広範囲に延ばすことのできるものが提案されている（例えば、特許文献１及び特許文献２参照）。
【０００３】
前者はスクイズ性を有する容器体の口筒部に組み付く組付き筒の上端に、内鍔状の頂壁を介して前後に偏平な起立筒を起立連設し、該起立筒の上端に連設された頂板の上面に、左右方向に直列にかつ等間隔に複数の櫛歯片を立設するとともに、上記頂板の両側端部分に枠櫛歯片を立設している。これらの櫛歯片及び枠櫛歯片はその先端部がそれぞれ同高さに位置する如く配列されている。また、各櫛歯片には、その上端部に左右方向に開口する注出孔を貫設するとともに、該注出孔から頂板の下面まで注出路を貫通形成し、少なくとも片側の枠櫛歯片の、注出孔に対応する位置に、左右方向に開口するピン孔を貫設しており、全体を合成樹脂材料により一体に成形している。
【０００４】
また、後者の吐出具は、上記注出孔から上端にかけての各櫛歯片の左右部分に、少なくとも注出孔の開口幅と等しい溝幅を有する型抜き縦溝を設けている。また、中央部の櫛歯の先端部が低く両外側にいくに従って順次高くなる如く人頭表面の曲率半径に基ずいて予め設定した曲率半径にそって配列されている。
【０００５】
【特許文献１】
特開２００１−７００３４号公報（第２−３頁，図１）
【特許文献２】
特開２００１−１５８４６４号公報（第２−４頁，図１）
【０００６】
【発明が解決しようとする課題】
上記従来の吐出具は、全体が一体に成形され、継ぎ目や隙間が形成されることがないので、内容液か溜まることは全くなく、外観も向上するため、内容液の注出流動性が高まり、頭髪への塗布を円滑に且つ良好に達成することができ、また、洗浄も容易にできるため衛生面も向上する等の種々の効果を発揮するものである。
【０００７】
本発明は上記した従来の吐出具の利点を備えつつ、しかも、より頭髪への塗布が行い易い櫛型吐出具を提案するものである。また、それに加えて吐出液の各櫛歯からのより均一な吐出量を考慮した櫛型吐出具を提案するものである。
【０００８】
【課題を解決するための手段】
本請求項１発明の櫛型吐出具は、上記課題を解決するため、吐出手段を備えた容器体２に装着するとともに、上端部に複数の櫛歯６を直列に起立並設させ、且つ、容器体２内の液を櫛歯６内部に縦設した吐出路７を介して吐出路７先端の吐出口８より吐出する如く構成した櫛型の吐出具であって、上記各櫛歯６…を、一端部よりその先端が順次傾斜下降する如く配列させたことを特徴とする櫛型吐出具として構成した。
【０００９】
また、請求項２発明の櫛型吐出具は、上記各吐出口８…を各櫛歯６…の先端部と同様に傾斜下降して配列させるとともに、それぞれ櫛歯を貫通して設け、且つ、各吐出口８の吐出量が平均化する如く最下部の吐出口８ａより各吐出口８…の大きさを順次大きく調節形成してなる請求項１記載の櫛型吐出具として構成した。
【００１０】
また、請求項３発明の櫛型吐出具は、上記各吐出口８…を水平に配列して上記各吐出路７…の長さを同じにしてなる請求項１記載の櫛型吐出具として構成した。
【００１１】
また、請求項４発明の櫛型吐出具は、上記各吐出路７…の下端がそれぞれ開口する開口面ｆ…を上記各櫛歯６…の先端部と同様に傾斜下降させて上記各吐出路７…の長さを同じにしてなる請求項１記載の櫛型吐出具として構成した。
【００１２】
また、請求項５発明の櫛型吐出具は、上記各櫛歯６…が左右方向に直列に起立並設させた各櫛歯であり、上記各吐出口８が左右方向に貫通した各吐出口であり、各吐出口８から上端にかけての左右部分に少なくとも吐出口の開口横幅と等しい横幅を有する型抜き縦溝１４を設けてなる請求項１乃至請求項４のいずれかに記載の櫛型吐出具として構成した。
【００１３】
また、請求項６発明の櫛型吐出具は、上記各櫛歯６…が左右方向に直列に起立並設させた各櫛歯であり、上記各櫛歯６…のうち中央部の複数の櫛歯６…を、上記吐出路７及び左右方向に貫通する上記吐出口８を備えた吐出櫛歯６ａとするとともに、その両側の櫛歯６を非吐出櫛歯６ｂ…として構成し、且つ、少なくとも片側の非吐出櫛歯の吐出口対応位置に、左右方向に開口するピン孔１５を貫設してなる請求項１乃至請求項４のいずれかに記載の櫛型吐出具として構成した。
【００１４】
【発明の実施の形態】
以下、本発明の実施例の形態を図面を参照して説明する。
【００１５】
図面に示す如く本発明の櫛型吐出具１は、吐出手段を備えた容器体２に装着するものである。吐出手段は収納液を櫛型吐出具を介して吐出させるための手段であり、具体的には種々の形態を採用できるが、例えば図示例の如く、胴部を圧搾可能に構成することによりその収納液を吐出する如く構成したもの、或いは、公知のエアゾール容器体等があげられる。図１の実施例では、圧搾可能な筒状胴部３の上端より肩部４を介して口頸部５を起立した合成樹脂製の容器体２を設けている。
【００１６】
本発明の櫛型吐出具１は、上端部に複数の櫛歯６…を直列に起立並設させている。各櫛歯６は容器体２の軸線と並行にそれぞれ起立させている。また、容器体２内の液を櫛歯６内部に縦設した吐出路７を介して吐出路７先端の吐出口８より吐出する如く構成したものであり、上記各櫛歯６…を、一端部よりその先端が順次傾斜下降する如く配列させている。各吐出路７…の上端である吐出口の開口位置は適宜選択することができる。
【００１７】
図１の実施例では、上記容器体２の口頸部５に嵌合させる装着筒９の上端より内方へ延設したフランジ状頂壁１０を介して起立筒１１を立設している。また、頂壁１０内周縁下面より垂設したシール筒１２を口頸部５内周に嵌合させて液密性を図っている。起立筒１１上に連設した頂板１３上面に左右方向に直列に複数の櫛歯６を起立並設させている。頂板１３は起立筒１１上端開口を閉塞し、また、櫛歯６の数に応じて起立筒１１外方へ端部を突出させる。更に、一端部である左端部の櫛歯６から他端部である右端部の櫛歯６まで、その先端を順次傾斜下降する如く配列させている。
【００１８】
また、各櫛歯６…のうち中央部の複数の櫛歯６…を、上記吐出路７及び左右方向に貫通する吐出口８を備えた吐出櫛歯６ａとするとともに、その両側の櫛歯６をそれらを備えない非吐出櫛歯６ｂとして構成している。図示例では中央部の６本を吐出櫛歯６ａとし、両側の各２本を非吐出櫛歯６ｂ…として構成している。この非吐出櫛歯６ｂは、例えば使用時に各櫛歯の吐出口から吐出された内容液が櫛機能部分の側方へ飛散してしまうことを防止するために設けており、両側各２本設ける場合に限らず、例えば両側に各１本設けても良く、数は適宜選択できる。各吐出路７は、上記頂板１３下面に下端を開口して各櫛歯６…内部に縦設しており、各吐出路７の上端に左右方向に開口する吐出口８…を開口している。
【００１９】
本実施例では、全体を合成樹脂で一体成形すべく各吐出口８から上端にかけての左右部分に少なくとも吐出口の開口横幅と等しい横幅を有する型抜き縦溝１４を設けている。両側の吐出口８のない非吐出櫛歯６ｂの存在する櫛型吐出具を従来の孔成形用の成形ピンを用いて一体成形することは困難であるため、この型抜き縦溝１４を設けることにより、吐出路７を成形する型ピンと組み合わさって注出口８を成形する型部分からの離型を達成させることができ、一体成形が可能となる。尚、本実施例において、各吐出孔を後述する横ピン式の成形方法で形成することもできる。その場合には少なくとも片側の非吐出櫛歯に後述するピン孔を形成する。
【００２０】
上記の如く構成した櫛型吐出具１は、例えば、図１の状態から容器体胴部３を圧搾して容器体内の液を各吐出路７…に圧入し、各吐出口８より吐出しつつ櫛をときながら塗布することができる。この際、各櫛歯６…の先端部が傾斜する如く配設されているため、把持する容器体２の角度を無理のない角度での塗布が可能となる。
【００２１】
図３は本発明の他の実施例を示すもので、図１の実施例に於いて各吐出口８…を各櫛歯６…の先端部と同様に傾斜下降して配列させるとともに、それぞれ櫛歯を貫通して設け、また、各吐出口８の吐出量が平均化する如く最下部の吐出口８ａより上方に行くに従って各吐出口８…の大きさを順次大きく調節形成している。この調節形成は各吐出路７の長さ，径，吐出口８の開口面積及びその形状等を考慮して適宜平均化する如く行う。
【００２２】
また、上記吐出櫛歯６ａ…両側の非吐出櫛歯６ｂの少なくとも片側の非吐出櫛歯６ｂの吐出口８に対応する位置に左右方向に貫通するピン孔１５を貫設している。これによって、合成樹脂の一体成形が可能となる。これら各吐出口８…及びピン孔１５を形成する方法としては、公知の孔成形用の成形ピンを用いる方法、所謂横ピン式の方法が採用でき、所定形態をなすテーパ形状の成形ピンを使用して一方の非吐出櫛歯６ｂ側から形成することができる。この際、非吐出櫛歯６ｂに形成されたピン孔１５は吐出路がないため、液が外方へ飛散することは防止できる。その他の構成は図１の実施例と同様である。尚、横ピン式の方法として図示例ではピン孔１５を左側二本の非吐出櫛歯６ｂに設けているが、成形上右側二本の非吐出櫛歯６ｂの所定位置にもピン孔を設け、全ての非吐出櫛歯にピン孔を設けることも当然可能である。
【００２３】
図４は本発明の更に他の実施例を示すもので、図１の実施例において、上記各吐出口８…を水平に配列して上記各吐出路７…の長さを同じにすることにより、各吐出口８…からの液の吐出量を平均化すべく図ったものである。この場合、吐出路７の径，吐出口８の大きさは同じにしておく。また、同様に上記横ピン式の成形方法で形成することができ、合成樹脂により一体に形成することができる。この場合にはピン孔１５を両側４本の非吐出櫛歯６ｂに設けている。その他の構成は図１の実施例と同様である。
【００２４】
図５は本発明の更に他の実施例を示すもので、図１の実施例において、上記各吐出路７…の下端がそれぞれ開口する開口面ｆを上記各櫛歯６…の先端と同様に傾斜下降させて上記各吐出路７…の長さを同じにすることにより、各吐出口８…からの液の吐出量を平均化すべく図ったものである。具体的には図１の実施例に於いて、頂板１３を各櫛歯６の先端部の形成する傾斜角度と同じに傾けて形成し、その下面を上記開口面ｆとすれば良い。この場合も当然、各吐出路７の径、各吐出口８の大きさを同じに構成する。また、同様に上記横ピン式の成形方法で形成することができ、合成樹脂により一体に形成することができる。その他の構成は図１の実施例と同様である。
【００２５】
【発明の効果】
以上説明した如く本発明櫛型吐出具は、既述構成としたことにより、無理のない傾斜状態で容器体を把持しつつ液の塗布及び引き延ばし及び櫛ときを行えるものであり、両側頭部はもとより頭頂部にあっても容易に上記行為を行えるものである。
【００２６】
また、請求項２乃至請求項４に記載の発明は、上記効果に加えて、各吐出口より吐出される液の量がより均一化されるため、毛髪等に塗布される液のさらなる均一化を図れるものである。
【００２７】
また、請求項５及び請求項６に記載の櫛型吐出具は、全体を合成樹脂の一体成形で形成できるため、安価に形成できるとともに、継ぎ目のない美麗な外観を呈し、液漏れ等の心配もない等の効果を兼ね備えている。
【図面の簡単な説明】
【図１】本発明の一実施例を示す縦断面図である。
【図２】図１のＡ−Ａ線に沿う縦断面図である。
【図３】本発明の更に他の実施例を示す縦断面図である。
【図４】本発明の更に他の実施例を示す縦断面図である。
【図５】本発明の更に他の実施例を示す縦断面図である。
【符号の説明】
２…容器体，６…櫛歯，６ａ…吐出櫛歯，６ｂ…非吐出櫛歯，７…吐出路，
８…吐出口，１４…型抜き縦溝，１５…ピン孔，ｆ…開口面
【図１】
2004290475.tif 000003
【図２】
2004290475.tif 000004
【図３】
2004290475.tif 000005
【図４】
2004290475.tif 000006
【図５】
2004290475.tif 000007